(57)【要約】【課題】施錠状態において、内臓された施解錠操作の電源としての電池を取り外すことができない電動式の南京錠を提供する。【解決手段】シャックル２の第１脚２１１は第２脚２１２より長く、開口１１４近くまでに延伸しており、その先端近くに解除部２１５が形成されて、解除部２１５は、ラッチ３が係止位置にある時、係合部材５を開放不能位置に保持し、ラッチ３が解除位置にある時に、解除部２１５のない第２脚２１２が収容空間１２から抜き出されてからシャックル２が解除部２１５のある第１脚２１１を中心として所定のプロセスで回動されると、係合部材５が開放不能位置から開放可能位置に移動する。【選択図】図１
2006316614.tif 000002
【特許請求の範囲】
【請求項１】
一端にある第１壁と該第１壁の反対側にある第２壁を有して、該両壁の間に収容空間が形成され、前記第１壁に前記収容空間とそれぞれ連通する第１孔及び第２孔が形成され、前記第２壁に前記収容空間からの電池の出し入れ用開口が形成され、前記収容空間内の前記開口に隣接する位置に前記収容空間と連通する係合槽が形成されているケーシングと、
第１脚及びそれより短い第２脚を有し、前記第１脚及び前記第２脚のいずれかに係止槽が設けてある逆Ｕ字型のものであって、前記第１脚及び前記第２脚がそれぞれ前記第１孔及び前記第２孔を通して前記収容空間内に摺動可能に挿入しているシャックルと、
前記ケーシングに内蔵されて、前記係止槽を係止して前記シャックルを前記ケーシングにロックする係止位置と前記係止位置から離れて前記ロックを解除する解除位置との間に移動可能に構成されているラッチと、
前記開口を開閉自在とするために前記ケーシングに取り付けられている蓋とを有する電動式の南京錠であって、
前記蓋の内面に、係合部材が、前記係合槽と解除可能に係合して前記蓋を開放不能にさせる開放不能位置と前記係合槽との係合が解除されて前記蓋を開放可能にさせる開放可能位置との間に移動可能に設置されており、
前記シャックルの第１脚は、前記開口近くまでに延伸しており、その先端近くに解除部が形成されて、該解除部は、前記ラッチが前記係止位置にある時、前記係合部材を前記開放不能位置に保持し、前記ラッチが前記解除位置にある時に、前記第２脚が前記収容空間から抜き出されてから前記シャックルが前記第１脚を中心として所定のプロセスで回動されると、前記係合部材を前記開放不能位置から前記開放可能位置に移動させることができるように構成されていることを特徴とする電動式の南京錠。
【請求項２】
前記係合部材は、前記係合槽の正面から入ってそれと解除可能に係合する挿入部と、該挿入部と垂直になっており、前記解除部に駆動されて前記挿入部を移動させることができるように配置されている受動部とを有することを特徴とする請求項１に記載の電動式の南京錠。
【請求項３】
前記解除部は、それがある前記第１脚を中心とする回動の方向に、先端部と、端面が前記先端部の端面より窪んでいて前記係合部材における前記受動部を駆動する駆動部とを互いに隣接するように有し、前記ラッチが前記係止位置にある時、前記先端部が前記第２壁に当接し、前記駆動部が前記受動部を駆動し始める角度の所定角度前にあり、また、前記ラッチが、前記解除位置にある時に、前記第２脚が前記収容空間から抜き出されてから前記シャックルが前記第１脚を中心として前記所定角度範囲内に回動された後、押し込まれて前記先端部が前記第２壁に再び当接した状態で、引き続いて回動されると、前記駆動部が前記受動部を駆動して前記係合部材を前記開放不能位置から前記開放可能位置に移動させることができるように構成されていることを特徴とする請求項２に記載の電動式の南京錠。
【請求項４】
前記解除部は、それがある前記第１脚を中心とする回動の方向に、更に、その端面が前記駆動部の端面より窪んでいる基部を前記先端部及び前記駆動部と隣接するように有し、前記ラッチが前記係止位置にある時、前記基部の窪んだ空間で前記受動部を収容して前記係合部材を前記開放不能位置に保持することができるように構成されていることを特徴とする請求項３に記載の電動式の南京錠。
【請求項５】
前記蓋は、その一端縁で前記第２壁に枢設されていることを特徴とする請求項１〜４のいずれか１項に記載の電動式の南京錠。
【請求項６】
前記係合部材は、前記蓋の内面に設けられた付勢手段によって前記開放不能位置へ移動するように付勢されていることを特徴とする請求項１〜５のいずれか１項に記載の電動式の南京錠。
【請求項７】
前記蓋の内面に、前記係合部材を前記係合槽へ案内するガイド部材が設けられていることを特徴とする請求項１〜６のいずれか１項に記載の電動式の南京錠。
【請求項８】
前記蓋の内面に、前記収容空間内に収容される電池を固定する固定フレームが形成されていることを特徴とする請求項１〜７のいずれか１項に記載の電動式の南京錠。
【請求項９】
前記係止槽は、前記シャックルの前記第２脚に形成されていることを特徴とする請求項１〜８のいずれか１項に記載の電動式の南京錠。
【請求項１０】
前記シャックルの前記第１脚に付勢手段が設けられ、前記ラッチが前記係止位置にある時、押さえられて前記シャックルに付勢力を与え、前記ラッチが前記解除位置にある時、前記付勢力により前記シャックルを介して前記第２脚を前記ケーシング外に弾き出すことができるように構成されていることを特徴とする請求項１〜９のいずれか１項に記載の電動式の南京錠。
【請求項１１】
前記収容空間内に電気駆動部が設けられ、収容される電池からの電力で前記ラッチを前記係止位置と前記解除位置との間において駆動させることができるように構成されていることを特徴とする請求項１〜１０のいずれか１項に記載の電動式の南京錠。
【発明の詳細な説明】
【技術分野】
【０００１】
本発明は、ロッカー、二輪車などの盗難防止に広く使用されている電動式の南京錠に関する。
【背景技術】
【０００２】
従来の錠は、南京錠を例として挙げれば、主として二つの孔が開けてあるケーシングと、長短両脚を有するシャックルと、施錠位置と解錠位置との間に移動可能に構成されているラッチとからなっている。前記シャックルは、前記両脚が前記二つの孔を通して前記ケーシング内に摺動可能に挿入しており、前記短脚を介して施解錠位置の間に移動する前記ラッチと施錠状態になったり解錠状態になったりすることができるように構成されている。
【０００３】
この種の錠として、その施解錠が、キーでの手動により行われる一般的なものはもちろん、リモコンに制御されるモーターと歯車との組合せなどでの電気駆動により行われる、いわゆる電動式の南京錠もある。このような電動式の南京錠は、前記のように、リモコンにより施解錠できるので、使用性に優れている。
【０００４】
しかし、従来の電動式の南京錠における、前記電気駆動の電源としての電池は、交換する際の便利のために、通常、前記ケーシング内の蓋付き電池室に収容されている。そのため、施錠状態においても、誰でも電池を取外して作動不能にさせたり、延いては解錠状態にさせたりすることができるので、大きな欠点となり、あまり実用化されていない。
【発明の開示】
【発明が解決しようとする課題】
【０００５】
そこで、本発明は前記欠点に鑑みてなされたものであり、即ち施錠状態において、内臓された施解錠操作の電源としての電池を取り外すことができない電動式の南京錠を提供することを目的とする。
【課題を解決するための手段】
【０００６】
本発明の電動式の南京錠は、一端にある第１壁と該第１壁の反対側にある第２壁を有して、該両壁の間に収容空間が形成され、前記第１壁に前記収容空間とそれぞれ連通する第１孔及び第２孔が形成され、前記第２壁に前記収容空間からの電池の出し入れ用開口が形成され、前記収容空間内の前記開口に隣接する位置に前記収容空間と連通する係合槽が形成されているケーシングと、第１脚及びそれより短い第２脚を有し、前記第１脚及び前記第２脚のいずれかに係止槽が設けてある逆Ｕ字型のものであって、前記第１脚及び前記第２脚がそれぞれ前記第１孔及び前記第２孔を通して前記収容空間内に摺動可能に挿入しているシャックルと、前記ケーシングに内蔵されて、前記係止槽を係止して前記シャックルを前記ケーシングにロックする係止位置と前記係止位置から離れて前記ロックを解除する解除位置との間に移動可能に構成されているラッチと、前記開口を開閉自在とするために前記ケーシングに取り付けられている蓋とを有する電動式の南京錠であって、前記蓋の内面に、係合部材が、前記係合槽と解除可能に係合して前記蓋を開放不能にさせる開放不能位置と前記係合槽との係合が解除されて前記蓋を開放可能にさせる開放可能位置との間に移動可能に設置されており、前記シャックルの第１脚は、前記開口近くまでに延伸しており、その先端近くに解除部が形成されて、該解除部は、前記ラッチが前記係止位置にある時、前記係合部材を前記開放不能位置に保持し、前記ラッチが前記解除位置にある時に、前記第２脚が前記収容空間から抜き出されてから前記シャックルが前記第１脚を中心として所定のプロセスで回動されると、前記係合部材を前記開放不能位置から前記開放可能位置に移動させることができるように構成されていることを特徴とする。
【発明の効果】
【０００７】
前記構成による電動式の南京錠によれば、施錠状態においては、前記ラッチが、前記短脚を係止する係止位置にあるばかりでなく、前記解除部で前記係合部材を電池の収容空間への開口の蓋を開けることができない開放不能位置に保持することもできるので、施錠時に電池が勝手に取り出される心配はない。
【発明を実施するための最良の形態】
【０００８】
以下、図面に基づいて本発明に係る電動式の南京錠の実施形態を詳細に説明する。図１は、本発明に係る電動式の南京錠の一実施形態の分解斜視図である。図１に示すように、本実施形態に係る電動式の南京錠は、主にケーシング１と、シャックル２と、ラッチ３と、蓋４と、係合部材５とからなっている。
【０００９】
図２は、図１の電動式の南京錠の施錠状態を示す正面図である。図３は、図１の電動式の南京錠のシャックルにおける解除部を示す部分斜視図である。図４は、図２の施錠状態にある電動式の南京錠の上面概略図である。図５は、図１の電動式の南京錠の解錠状態を示す正面図である。図６は、図５の解錠状態にある電動式の南京錠におけるシャックルの回動の第１段階を示す上面概略図である。図７は、図６に対応して示す斜視図である。図８は、図５の解錠状態にある電動式の南京錠におけるシャックルの回動の第２段階を示す上面概略図である。図９は、図８に対応して示す斜視図である。
【００１０】
ケーシング１は、その一端にある第１壁１１１（図中における上壁）と該第１壁１１１の反対側にある第２壁１１２（図中における下壁）を有して、該両壁の間に必要な部品、例えばラッチ３、係合部材５ないし電池３４の収容空間１２が形成され、且つ第１壁１１１に収容空間１２とそれぞれ連通する第１孔１１５及び第２孔１１６が形成され、第２壁１１２に電池３４の収容空間１２からの出し入れ用開口１１４が形成され、その収容空間１２内の前記開口１１４に隣接する位置に収容空間１２と連通する係合槽１１７が形成されている。
【００１１】
シャックル２は、開口１１４近くまでに延伸している第１脚２１１及び第１脚２１１より短い第２脚２１２を有し、且つ第１脚２１１の先端近くに解除部２１５が、第２脚２１２の先端近くに係止槽２１９がそれぞれ設けてある逆Ｕ字型のものであって、第１及び第２脚２１１、２１２がそれぞれ前記第１及び第２孔１１５、１１６を通して収容空間１２内に摺動可能に挿入している。
【００１２】
ラッチ３は、ケーシング１に内蔵されて、図２に示すように係止槽２１９を係止してシャックル２をケーシング１にロックする係止位置と、図５に示すように前記係止位置から離れて前記ロックを解除する解除位置との間において移動可能に構成されている。
【００１３】
なお、ラッチ３の前記係止位置と解除位置との間の移動は、前述のようにキーでの手動の手動ユニット３１、及び、収容される電池３４からの電力でリモコン（図示せず）に制御されるモーター３２１と歯車３２２などの電気駆動ユニット３２のいずれかによって行われるように構成されている。
【００１４】
また、図２と図５に示すように、ラッチ３が前記係止位置にある時、第１脚２１１に設けられた圧縮ばね２３が押さえられてシャックル２に付勢力を与え、ラッチ３が前記解除位置にある時、前記付勢力によりシャックル２を介して第２脚２１２をケーシング１外に弾き出すことができるように構成されている。
【００１５】
蓋４は、枢軸４２を介してその一端縁４１２で、第２壁１１２の開口１１４を開閉自在に枢設されており、その内面４１１には、ねじりばね４１３が設けられ、また、ガイド部材４１４と、収容空間１２内に収容される電池３４を固定する固定フレーム４１５とが形成されている。
【００１６】
係合部材５は、その先端５１１が斜面になった挿入部５１と該挿入部５１の末端縁から垂直に突出してなった受動部５２とを有する。さらに、係合部材５は、図６、７に示すように、蓋４の内面４１１において、ねじりばね４１３により、その挿入部５１がガイド部材４１４を通り、それに沿って係合槽１１７へ案内されて移動するように付勢されていて、挿入部５１の先端５１１が係合槽１１７に正面からそれと解除可能に係合して蓋４を開放不能にさせる開放不能位置と、図８、９に示すように受動部５２で解除部２１５に駆動されて、係合槽１１７との係合が解除されるように挿入部５１を移動させて蓋４を開放可能にさせる開放可能位置との間に移動することができる。
【００１７】
また、図４、６、８に示すように、解除部２１５は、ラッチ３が前記係止位置にある時、係合部材５を前記開放不能位置に保持し、ラッチ３が前記解除位置にある時に、第２脚２１２が収容空間１２から抜き出されてからシャックル２が第１脚２１１を中心として後述で詳述する所定のプロセスで回動されると係合部材５を前記開放不能位置から前記開放可能位置に移動させることができるように構成されている。
【００１８】
図３も合わせて参照して、解除部２１５は、第１脚２１１の先端面から見れば、第１脚２１１を中心とする回動の方向に、先端部２１８と、その端面２１７１が先端部２１８の端面２１８１より窪んでいて係合部材５における受動部５２を駆動する駆動部２１７と、その端面２１６１が駆動部２１７の端面２１７１より窪んでいる基部２１６とを互いに隣接するように有する。
【００１９】
また、前記解除部２１５は、ラッチ３が前記係止位置にある時、先端部２１８が第２壁１１２に当接し、基部２１６がその窪んだ空間で係合部材５の受動部５２などを収容し、駆動部２１７が、図４から見れば（即ち第１脚２１１の先端面の反対側から）、第１脚２１１を中心とする回動の方向（本実施形態においては、時計周り）に受動部５２を駆動し始める角度の所定角度前にある（図４に示すように本実施形態においては所定角度は９０°とする）。また、ラッチ３が前記解除位置にある時に、第２脚２１２が収容空間１２から抜き出されてから図６と図７のようにシャックル２が第１脚２１１を中心として前記所定角度（９０°）範囲内に回動された後（ここでは、４５°とする）、押し込まれて先端部２１８が第２壁１１２に再び当接した状態で引き続いて回動されると、図８と図９のように駆動部２１７が受動部５２を駆動して係合部材５を前記開放不能位置から前記開放可能位置に移動させることができるように構成されている。
【００２０】
本実施形態に係る電動式の南京錠を使用すれば、施錠を行ってラッチ３を前記係止位置にさせると、係合部材５の係合槽１１７との係合により蓋４を開放不能にさせ、解錠を行わなければ、シャックル２の回動とともに解除部２１５を介して係合部材５を前記開放不能位置から前記開放可能位置に移動させて蓋４を開けることができない。
【００２１】
以上、本発明の好適な実施形態について説明したが、本発明は本実施形態に限定されず、例えば、本実施形態においては前記解除部２１５、係止槽２１９がそれぞれ第１脚２１１の先端近くと第２脚２１２の先端近くに設けてある例を挙げたが、係止槽２１９が解除部２１５とともに第１脚２１１の先端近くに適当に配置することもできる。即ち、本発明は本実施形態に限定されず、本発明の精神の範囲内において種々の変形や変更が可能である。
【産業上の利用可能性】
【００２２】
本発明の電動式の南京錠は、施錠状態においては、ラッチ３が、短脚の第２脚２１２を係止する係止位置にあるばかりでなく、解除部２１５で係合部材５を電池３４の収容空間１２への開口１１４の蓋４を開けることができない開放不能位置に保持することもできるので、施錠時に電池３４が勝手に取り出される心配はない。
【図面の簡単な説明】
【００２３】
【図１】本発明の実施形態に係る電動式の南京錠の分解斜視図である。
【図２】本発明の実施形態に係る電動式の南京錠の施錠状態を示す正面図である。
【図３】本発明の実施形態に係る電動式の南京錠のシャックルにおける解除部を示す部分斜視図である。
【図４】本発明の実施形態に係る電動式の南京錠の施錠状態における上面概略図である。
【図５】本発明の実施形態に係る電動式の南京錠の解錠状態を示す正面図である。
【図６】図５の解錠状態にある電動式の南京錠におけるシャックルの回動の第１段階を示す上面概略図である。
【図７】図６に対応して示す斜視図である。
【図８】図５の解錠状態にある電動式の南京錠におけるシャックルの回動の第２段階を示す上面概略図である。
【図９】図８に対応して示す斜視図である。
【符号の説明】
【００２４】
１  ケーシング
１１１  第１壁
１１２  第２壁
１１４  開口
１１５  第１孔
１１６  第２孔
１１７  係合槽
１２  収容空間
２  シャックル
２１１  第１脚
２１２  第２脚
２１５  解除部
２１６  基部
２１６１  端面
２１７  駆動部
２１７１  端面
２１８  先端部
２１８１  端面
２１９  係止槽
２３  圧縮ばね
３  ラッチ
３１  手動ユニット
３２  電気駆動ユニット
３２１  モーター
３２２  歯車
３４  電池
４  蓋
４１１  内面
４１２  蓋の一端縁
４１３  ねじりばね
４１４  ガイド部材
４１５  固定フレーム
４２  枢軸
５  係合部材
５１  挿入部
５１１  先端
５２  受動部
【図１】
2006316614.tif 000003
【図２】
2006316614.tif 000004
【図３】
2006316614.tif 000005
【図４】
2006316614.tif 000006
【図５】
2006316614.tif 000007
【図６】
2006316614.tif 000008
【図７】
2006316614.tif 000009
【図８】
2006316614.tif 000010
【図９】
2006316614.tif 000011